(57)【要約】  患者支持体は、患者支持表面と、患者支持表面に隣り合う柵とを含む。このとき、柵又は患者支持表面の一部分は、抗菌性を有し且つこの部分に分散させられる、付着させられる又は埋め込まれる少なくとも１つの材料を含む。患者支持体は、エネルギーを柵又は患者支持表面における上記一部分又は別の部分に指向するエネルギー発生システムを含む。エネルギーは、上記一部分又は上記他の部分に抗菌処理を提供するための電流、磁界、熱、音波又は光を含む。
2014534890.tif 000002
【特許請求の範囲】
【請求項１】
患者支持体において、
患者支持表面と、
前記患者支持表面に隣り合う柵と、
抗菌性を有し且つ分散させられる、付着させられる又は埋め込まれる少なくとも１つの材料を含む前記柵又は前記患者支持表面の一部分と、
前記柵又は前記患者支持表面における前記一部分又は別の部分にエネルギーを指向するエネルギー発生システムであって、前記エネルギーが、前記一部分又は前記他の部分に抗菌処理を提供するための電流、磁界、熱、音波又は光を含む、エネルギー発生システムと
を備える患者支持体。
【請求項２】
前記エネルギー発生システムはエネルギーを前記一部分に指向する請求項１に記載の患者支持体。
【請求項３】
前記材料は銅又は銅合金を含む請求項１に記載の患者支持体。
【請求項４】
前記材料は銅粉末又は銅合金粉末を含む請求項１に記載の患者支持体。
【請求項５】
前記材料は銅又は銅合金のコーティングを含む請求項１に記載の患者支持体。
【請求項６】
前記材料は、前記柵、前記患者支持表面又は前記本体の前記一部分に分散させられる銅塊を含む請求項１に記載の患者支持体。
【請求項７】
前記材料は銅プレートを含む請求項１に記載の患者支持体。
【請求項８】
前記エネルギー発生システムはＵＶ光を発生する請求項１に記載の患者支持体。
【請求項９】
前記エネルギー発生システムは赤外線を発生する請求項１に記載の患者支持体。
【請求項１０】
前記エネルギー発生システムは１ミリアンペア〜１０ミリアンペアの範囲の電流を発生する請求項１に記載の患者支持体。
【請求項１１】
前記エネルギー発生システムは電荷を発生する請求項１に記載の患者支持体。
【請求項１２】
前記エネルギー発生システムは磁界を発生する請求項１に記載の患者支持体。
【請求項１３】
前記エネルギー発生システムは熱を発生する請求項１に記載の患者支持体。
【請求項１４】
ＵＶ光が、前記柵の前記一部分の中に指向され、前記一部分は、前記ＵＶ光が前記一部分の中に指向されたときに前記一部分の中で実質的に留められるように、内部全反射を呈する材料から形成される請求項１に記載の患者支持体。
【請求項１５】
医療設備の構成要素において、
医療環境内で取り付けられるように適合した本体と、
抗菌性を有し且つ前記本体に埋め込まれる、前記本体に付着させられる又は前記本体で分散させられる材料と、
前記本体に抗菌処理を提供するように前記本体にエネルギーを指向するエネルギーシステムと
を備える医療設備の構成要素。
【請求項１６】
前記材料は少なくとも銅又は銅合金を含む請求項１５に記載の医療設備の構成要素。
【請求項１７】
前記エネルギー発生システムはＵＶ光を発生する請求項１５に記載の医療設備の構成要素。
【請求項１８】
光が前記本体の中に指向されたときに前記本体の中で実質的に留められるように、前記本体は内部全反射を呈する材料から形成される請求項１５に記載の医療設備の構成要素。
【請求項１９】
患者支持体の構成要素において、
患者支持体の一部に取り付けられると共に任意選択されて前記患者支持体の一部を形成するように適合した本体と、
前記本体に抗菌処理を提供するように前記本体にエネルギーを指向するためのエネルギー発生システムと
を備える患者支持体の構成要素。
【請求項２０】
サイドレール、キャスター車輪アセンブリ、ヘッドボード、フットボード又はワーク台を備える請求項１９に記載の患者支持体の構成要素。
【請求項２１】
抗菌性を有し且つ前記本体に埋め込まれる、前記本体に付着させられる又は前記本体で分散させられる材料をさらに備える請求項１９に記載の患者支持体の構成要素。
【請求項２２】
前記エネルギー発生システムはＵＶ光を発生する請求項１９に記載の患者支持体の構成要素。
【請求項２３】
キャスター車輪アセンブリを備え、前記キャスター車輪アセンブリは車輪を含み、前記エネルギー発生システムはＵＶを発生し且つ前記ＵＶを前記車輪に指向する請求項１９に記載の患者支持体の構成要素。
【請求項２４】
医療設備の表面を洗浄する方法において、
前記表面を含む本体に抗菌材料を設けることと、
前記表面で抗菌処理を提供するように、前記本体の中に又は前記本体を通るようにエネルギーを指向することと
を含む方法。
【請求項２５】
前記抗菌材料を設けることは、前記本体に前記抗菌材料をコーティングすること、埋め込むこと又は散在させることを含む請求項２４に記載の方法。
【請求項２６】
前記エネルギーを指向することは、光を前記本体の中に指向することを含む請求項２４に記載の方法。
【請求項２７】
前記光を指向することは、内部全反射が起こるような角度でＵＶ光を前記本体の中に指向することを含む請求項２６に記載の方法。
【発明の詳細な説明】
【技術分野】
【０００１】
本発明は、ベッド、ストレッチャー、折り畳み式簡易ベッド、手術台、車椅子、家具等の患者支持体及び床パネル、壁パネル又はヘッダー等のような建築上の構成要素を含む医療設備での細菌を制御する若しくは細菌負荷を低減するための構成要素及び／又はシステムに関する。
【背景技術】
【０００２】
環境汚染は、病室、特にベッド及びマットレスでは珍しくない。ベッド及びマットレスは、例えば塩素処理水を含む洗浄液によって日常的に洗浄されるが、現在用いられている洗浄の実施の要領は、ベッド及びマットレスのそれぞれの表面を完全に殺菌するわけではない傾向にある。徹底的に洗浄されたとしても、塩素処理水を使用するのでは、表面上の微生物を死滅させるが、多くの場合に、最も内側の部分の微生物は無処理のままとなる。加えて、細菌は、細菌を塩素処理から保護することができる他の粒子内に捕捉される可能性がある。
【０００３】
その結果、別の代わりとなる洗浄方法が必要とされており、さらに、人の手による洗浄の物理的な限界を克服する方法が必要とされている。
【発明の概要】
【０００４】
よって、本発明は、感染の制御を高めることができ且つ医療設備の表面を自動的に洗浄する１つ以上の構成要素又は構成要素によるシステムを提供する。
【０００５】
本発明の一形態では、医療設備の構成要素は、本体と抗菌性（antimicrobial property）を伴った材料とを含み、上記材料は、本体を形成する、本体に埋め込まれる、本体に付着させられる又は本体内で分散させられている。例えば、構成要素は、サイドレール、キャスター車輪アセンブリ、ヘッドボード、フットボード又はワーク台（work surface）を含むことができる。
【０００６】
構成要素が車輪を伴ったキャスター車輪アセンブリを含む１つの態様では、車輪は、ベース材料と、ベース材料の少なくとも外側層にわたって散在し且つ抗菌性を伴った材料（抗菌材料）とを用いて形成されることができる。さらに、ベース材料は、経時的に摩耗して、それによりベース材料の最外面の下に散在している抗菌材料がその時に周囲の雰囲気に露出して車輪の抗菌特性（antimicrobial characteristic）を再生させるように、選択される。
【０００７】
任意に選択されて、医療設備はまた、本体の抗菌性を増大させるように本体にエネルギーを指向するためのエネルギー発生システムも含むことができる。
【０００８】
本発明の別の形態では、医療設備の構成要素は、本体と、本体に抗菌処理をもたらすように本体にエネルギーを指向するためのエネルギー発生システムとを含む。
【０００９】
一態様では、構成要素は、サイドレール、キャスター車輪アセンブリ、ヘッドボード、フットボード又はワーク台を含むことができる。例えば、構成要素がキャスター車輪アセンブリを含む場合、エネルギー発生システムは、車輪にエネルギーを指向するための１つ以上の光源（ＵＶ−Ｃ光源を含むＵＶ光源など）を含むことができる。
【００１０】
本発明の別の形態では、医療設備の構成要素は、本体と、本体に埋め込まれる、本体に付着させられる又は本体内で分散させられる抗菌性を伴った材料とを含む。加えて、エネルギー発生システムが、本体の抗菌性を増大させるように本体にエネルギーを指向する。例えば、構成要素は、サイドレール、車輪、ヘッドボード、フットボード又はワーク台を含むことができる。
【００１１】
一態様では、構成要素は車輪を含む。例えば、車輪は、抗菌性を有する材料を用いて形成されることができ、エネルギー発生システムは、車輪にエネルギーを指向するための１つ以上の光源（ＵＶ−Ｃ光源を含むＵＶ光源など）を含むことができる。
【００１２】
さらなる態様では、車輪はシュラウドによって少なくとも部分的に覆われ、このとき光源又は供給源はシュラウド内に収容される。
【００１３】
別の態様では、医療設備は電源を含み、エネルギー発生システムは医療設備の電源によって給電される。追加の又は代替の態様では、構成要素は、エネルギー発生システムに給電するための構成要素をベースとする電源を有する。例えば、車輪の場合、車輪は、ハブと、エネルギー発生システムに給電するためのハブをベースとするダイナモとを含むことができる。
【００１４】
本発明の別の形態では、患者支持体は、患者支持表面と、患者支持表面に隣り合う柵と、抗菌性を有し且つ分散された、付着させられた又は埋め込まれた少なくとも１つの材料を含んだ上記の柵又は表面の少なくとも一部分とを含む。加えて、支持体は、柵の上記部分にエネルギーを指向するエネルギー発生システムを含む。エネルギー発生システムは、柵の一部に抗菌処理をもたらすように磁界、熱、電流、音波又は光を発生することができる。
【００１５】
上述のいずれにおいても、抗菌材料は、銀、銅、銀合金又は銅合金を含むことができ、これらは、銅粉末、銀粉末、銅合金粉末又は銀合金粉末を含むことができる。代替として、抗菌材料は、銀（若しくは銀合金）又は銅（若しくは銅合金）のコーティングを含むことができる。さらに、抗菌材料は、銀（若しくは銀合金）又は銅（若しくは銅合金）の塊（body）を含むことができ、これら塊は、上記の柵、表面、本体の一部分で又はこれらに付着させられた部分の中で分散させられる。別の態様では、抗菌材料は、銀（若しくは銀合金）又は銅（若しくは銅合金）のプレートを含む。
【００１６】
また別の態様によると、エネルギー発生システムは、ＵＶ光又は赤外線を発生することができる。
【００１７】
また別の実施形態では、エネルギー発生システムは、電界又は磁界又は熱を発生することができる。
【００１８】
本発明のまた別の形態では、医療設備の表面を洗浄する方法は、抗菌性を伴った表面を少なくとも有する本体を供給することと、上記表面での抗菌処理をもたらすように本体の中に、本体の上に又は本体を通り過ぎるようにエネルギーを指向することとを含む。
【００１９】
一態様では、抗菌材料は、抗菌材料を本体上に又は本体内でコーティングする、埋め込む又は散在させることを含む。
【００２０】
別の態様では、エネルギーを指向することは、ＵＶ光等の光を、本体を通り過ぎるように指向することを含む。また別の態様では、上記表面は、光の実質的に全てが内部で反射されるように光が本体の端部又は側部又は縁部に指向されるときに内部全反射を呈する材料から形成される。
【００２１】
本発明の実施形態を詳細に説明する前に、本発明が、以下の説明に記載される又は図面に示される動作の詳細、構成要素の構造の詳細及び構成要素の配置構成に限定されないということは、理解されるはずである。本発明は、種々の他の実施形態で実施されることができ、そして本明細書では明示して開示されていない代替の方法で実用化又は実行されることができる。また、本明細書において用いられる表現及び用語は、説明のためであって限定するものとみなされるべきではないということも理解されるはずである。「含む」及び「備える」並びにその変形体の使用は、それらの前に挙げられる事項及びその均等物、並びに付加事項及びその均等物を包含するように意図されている。さらに、種々の実施形態の説明において列挙が用いられることができる。別途明示して記載されない限り、列挙を使用することは、本発明を、構成要素のいかなる特定の順序にも特定の数にも限定するものとして解釈されるべきではない。列挙を使用することはまた、本発明の範囲から、列挙された工程若しくは構成要素と共に又は列挙された工程若しくは構成要素の中に組み合わせられ得るいかなる追加の工程をも構成要素をも除外するものとして解釈されるべきではない。
【図面の簡単な説明】
【００２２】
【図１】本発明の感染制御システムを組み込んでいる患者ポート即ち病院用ベッドの形態をした１つの医療設備の斜視図である。
【図１Ａ】図１のベッドのヘッドボードにおける先端部の拡大図である。
【図２】本発明の感染制御システムの１つの構成要素の一実施形態を示すものであり図１のＩＩ−ＩＩ線に沿った断面図である。
【図２Ａ】本発明の感染制御システムの別の実施形態を示すものであり図２と同様の図である。
【図２Ｂ】本発明の感染制御システムの受動的構成要素による第３の実施形態を示すものであり図２と同様の図である。
【図３】本発明の感染制御システムの能動的構成要素のうちの１つ以上を制御するための制御回路の概略図である。
【図４】図１のベッドのキャスター車輪アセンブリの分解斜視図である。
【図５】図１のベッドへの使用に適したキャスター車輪アセンブリにおける能動的構成要素の一実施形態の斜視図である。
【図５Ａ】図５と同様の図であるが車輪カバーが除かれた状態の図である。
【図５Ｂ】図５Ａと同様の図であるが車輪とフォークブラケットとスイベル式連結部の一部とが除かれた状態の図である。
【図６】図５の能動的構成要素の側面図である。
【図６Ａ】図６と同様の図であるが車輪カバーが除かれた状態の図である。
【図６Ｂ】図６Ａの車輪の反対側の側面図である。
【図６Ｃ】図６と同様の図であるがフォークブラケットとスイベル式連結部の一部とが除かれた状態の図である。
【図６Ｄ】図６Ｃの車輪の反対側の側面図であるが車輪が除かれた状態の図である。
【図７】図５の能動的構成要素の正面図である。
【図８】図５の能動的構成要素の上面図である。
【図９】図５の能動的構成要素の別の斜視図である。
【図１０】図９の能動的構成要素の正面図である。
【図１１】図５のキャスター車輪アセンブリにおけるスイベル式取付部及び回路基板取付部の部分拡大図である。
【図１２】図１１の断面図である。
【図１３】図５〜図１２の能動的構成要素用の回路の概略図である。
【発明を実施するための形態】
【００２３】
図１を参照すると、符号１０は本発明の医療設備を全体として指している。図示の実施形態では、医療設備１０は、病院用ベッド１２又はオーバーベッドテーブル１４の形態にある。以下の説明は病院用ベッド及びオーバーベッドテーブルに関して行うが、「医療設備」という用語は、本明細書では広範に用いられ、手術台、車椅子、ストレッチャー、折り畳み式簡易ベッド、（リクライナ、サイドテーブルを含む）病室の他の家具、医療環境又は病院環境における構造上又は建築上の構成要素（ヘッダー、壁パネル又は床パネル等）のような他のタイプの医療設備を含むことは、理解されるはずである。以下でより十分に説明するように、医療設備１０の１つ以上の構成要素は、医療設備の外表面の各部に少なくともわたって、特に患者、介護者又は訪問者との物理的な接触がありそうな部分において自己洗浄するように適合している。
【００２４】
病院用ベッド１２は、接触する可能性が高い部分又は触れる点を多く含む。図２を参照すると、例えば、ベッド１２は、ヘッドボード１６、フットボード１８、並びに患者支持表面即ちマットレス２４の周囲に柵を形成するサイドレール２０及び２２を含み、これらは、患者、介護者及び／又は訪問者によって通常触れられる。さらに、ヘッドボード、フットボード及びサイドレールのそれぞれは、触れられる可能性がより高い部分、例えば、手懸部１６ａ、１６ｂ、１８ａ、１８ｂ、２０ａ及び２２ａを有し、これら手懸部１６ａ、１６ｂ、１８ａ、１８ｂ、２０ａ及び２２ａは、ベッドを操作する、ベッドを移動させる、又はサイドレールを上げ下げするためによくつかまれる。
【００２５】
好ましい一実施形態では、手懸部１６ａ、１６ｂ、１８ａ、１８ｂ、２０ａ及び２２ａのそれぞれは、少なくともそれらの細菌負荷を低減し、それによって、細菌が移る率又は機会を減らすように適合しており、このことによって、感染の低下を向上することができる。
【００２６】
他の実施形態では、少なくなった一群の手懸部が、それらの細菌負荷を少なくとも低減するように適合している。その細菌負荷を低減するように適合している医療上の器具１０の各構成要素の各部分のみに関して説明されているが、構成要素全体、例えばサイドレール全体、フットボード全体、ヘッドボード全体が、その細菌負荷を低減するように適合してもよく、後述する感染制御システムの構成要素のうちの１つ以上を組み込んでもよいことは理解されるはずである。
【００２７】
図２を再び参照すると、各部分１６ａ、１６ｂ、１８ａ、１８ｂ、２０ａ及び２２ａは、受動的及び／又は能動的な抗菌構成要素を組み込むことができる。図２において最も良く分かるように、各部分１６ａ、１６ｂ、１８ａ、１８ｂ、２０ａ及び２２ａは、抗菌特性を呈する材料から形成されるコーティング又はフィルム又はシート等の受動的抗菌構成要素を組み込むことができる。受動的という用語は、抗菌特性が特質として備わっており（抗菌特性を有する因子は「能動的な因子」であるとみなすことはできるが）、抗菌特性が機能を果たすために電気等の別の源からの入力を必要としないことを示すのに単に用いられる。例えば、一形態では、材料は、銅材又は銅合金材料を含むことができる。代替として、銀等のような他の既知の抗菌複合材又は抗菌材料を用いてもよい。銅（若しくは銅合金）のコーティング、フィルム又はシートは任意に選択されて、各柵構成要素の手懸部の周囲全体を囲む、又は手懸部の外周の一部の周りにのみ延在することができ、このとき、残りの部分は任意に選択されて、抑制域（例えば「暈」効果［halo effect］）によって少なくとも幾らかの程度まで保護される。抑制域は、抗菌性が銅を囲む領域（複数の場合もあり）まで延在する場所である。
【００２８】
コーティング又はフィルムは、浸漬、噴霧又はオーバーモールド成形によって手懸部に付着させられることができる。シートの場合、シートは、手懸部の成形工程中に手懸部に機械的に貼り付けられる又は手懸部内で成形されることができる。シートは、手懸部内で成形される場合、手懸部の外面の一部を形成するように成形される、又は上記外面の僅かに下にあるように成形されることができ、この場合、シートの抗菌性は、抑制域（「暈」効果）のせいで上記外面での保護を尚ももたらすことになる。
【００２９】
このようにして、患者、介護者又は訪問者がベッドの手懸部（１６ａ．．．２２ａ）に触れたときに、この者たちの手に存在するいかなる細菌も、手懸部分に付着すると、ある時間（通常は２時間以下）の経過後には銅によって死滅させられることになる。
【００３０】
別の実施形態では、図２Ａに示されているように、抗菌材料は、手懸部を形成する材料にわたって均一に若しくは異なる濃度で散在させられることができる、又は、手懸部の外面を通って、例えば１ｍｍ〜１０ｍｍの範囲の深さ、１ｍｍ〜５ｍｍの範囲の深さ若しくは１ｍｍ〜２ｍｍの範囲の深さにまで散在させられてもよい。例えば、濃度は１０％（重量％）から８０％（重量％）までで変えることができる。例えば、銅（又は銅合金）は、手懸部を形成する材料と混合され且つ手懸部を形成する材料と共に成形されることができる粉末の形態又は他の粒子形態で供給されることができる。例えば、成形方法は遠心成形を含むことができ、それにより、銅粒子は外面に集中する。成形しそして部品（例えば手懸部）が放冷された後で、次いでこの部品の表面が、例えば砂による研磨によって目荒らしされて、より多くの銅を露出させることができる。同様に、手懸部の使用後、砂による研磨又は外側剥離処理（external abrasion treatment）を繰り返し施すことによって、より多くの銅粒子を伴った表面を「再生」させることがもたらされ得る。例えば、手懸部の本体を形成する材料は、通常の使用に伴ってより多くの銅を露出させるのに十分に外面をすり減らす材料から形成されることができる。
【００３１】
図２Ｂを参照すると、代替として又は追加として、離散した抗菌材料の塊が、例えば繊維又は線材（例えば撚線）を含むストリップの形態で、手懸部に付着させられる又は組み込まれることができ、このストリップは、成形工程中に手懸部内で形成されることもでき又は接着剤を用いて表面にポッティングされることもできるものである。抗菌材料の塊の間隔は、各塊の抑制域（「暈」効果）が隣り合う各塊の抑制域（「暈」効果）に重なる又は緊密に接するようなものであり得るが、塊は、特に抗菌材料構成要素が以下でより十分に説明する他の抗菌構成要素又は抗菌システムと組み合わされる場合にはさらに離され得るということは、理解されるはずである。
【００３２】
図１を再び参照すると、抗菌特性を有する材料（又は複数の材料）を組み込むことに加えて、ベッド１２はまた、受動的抗菌構成要素に関して質を高める、増強する及び／又は補足するために抗菌システム３０によって提供されるような１つ以上の能動的抗菌構成要素を組み込むこともできる。例えば、抗菌システム３０は、１つ以上のエネルギー発生器３２を含むことができ、エネルギー発生器３２は、例えば手懸部の外面に指向される又は衝突するエネルギーを発生する。エネルギーのタイプに応じて、細菌がある印加されたエネルギーによって死滅させられるか、又はそのＤＮＡがそれ以上繁殖できないように影響を受けるかのいずれかであることが分かっている。
【００３３】
一実施形態では、エネルギー発生器３２は、ＵＶ  ＬＥＤのようなＵＶＣライトを含むＵＶライトを備える。ＵＶライトは、細菌のＤＮＡを崩壊させ、それ故細菌が繁殖するのを阻止すると分かっている。図示の実施形態では、ＵＶ光は、細菌が集まる可能性がある表面を含むベッドの構成要素内に、構成要素を形成する材料の臨界角よりも大きい角度で指向され、それにより、ＵＶ光は内部全反射を呈することになる。例えば、ＵＶ光は、柵において、ポリマー材又は石英材から形成され得る構成要素の端部又は縁部（構成要素にある開口によって形成される遠位縁部又は内縁部とすることができる）に位置付けられることができ、それにより、内部全反射によってＵＶ光は構成要素の内部で反射させられ、一方の端部又は縁部から他方の端部又は縁部（例えば柵に埋め込まれている）に誘導される。それ故、ＵＶ光は、構成要素（又は柵）の外側表面を通って放射されるのではなく、その代わりに、患者、介護者又は訪問者をＵＶ光から保護するように柵内に封じ込められる。従って、細菌が構成要素の表面に存在する場合、構成要素はＵＶ光にさらされ、このＵＶ光は上述したように細菌のＤＮＡに干渉し、細菌が繁殖することを防止する。
【００３４】
２つ以上のライトが、使用され、そして例えば構成要素の対向する端部若しくは構成要素の対向する縁部、又は構成要素の長さに沿った中間位置に位置決めされ得ることは、理解されるはずである。中間位置に位置決めされる場合、ライトは通常、構成要素に形成される開口の中に延在して覆われ、それにより、全ての光が構成要素に入り、次いで対向する縁部又は端部へと内部で反射される。
【００３５】
図示の実施形態では、エネルギー発生器３２は、上述したようにポリマー材又は石英材から形成される手懸部１６ａ、１６ｂ、１８ａ、１８ｂ、２０及び２２ａに隣り合って位置付けられる。ＵＶライトを手懸部の一方の端部に位置を定めることによって、光は手懸部の一方の端部から他方の端部へと指向され、光ファイバーとほぼ同じかたちで内部反射によって手懸部を通るように誘導される。銅等の抗菌材料の抗菌性と組み合わせられる場合、システム３０はベッド１２のための感染制御を増強することになると考えられる。
【００３６】
加えて、システム３０は、ＵＶ光をベッドのパネルの中に内又はパネルの上を覆うように指向するためのＵＶライト３４も含むことができる。例えば、ＵＶライトは、タッチスクリーンパネル３６に隣り合って柵に設けられることができ、このタッチスクリーンパネル３６もまた同様にポリマー材、石英材若しくはグラス材から形成される又はポリマー材、石英材若しくはグラス材から形成されるオーバーレイ体を有することができ、この場合、内部全反射によって、ＵＶ光は、パネルの外側表面即ち外方に面する表面から放射されるのが防がれ、その代わりに、パネル（又はオーバーレイ体）の一方の縁部からパネル（又はオーバーレイ体）の第２の縁部にまで誘導される。このようにして、タッチスクリーン上に存在する細菌はＵＶ光にさらされ、それによって繁殖が不可能であるようにされることになる。
【００３７】
図３を参照すると、エネルギー発生器３２及びＵＶライト３４は、コントローラ４０によって制御されることができ、このコントローラ４０は、ベッドをベースとするネットワーク（全てではないにしてもベッドでのほとんどの機能を制御する）を含んでも含まなくてもよく、さらにベッドから遠隔にあってもよい。なお、このコントローラ４０は、エネルギー発生器（複数の場合もあり）及び／若しくはライトに電気的に結合されるか又は無線で結合されるかのいずれかなされている。例えば、コントローラは、マットレスをベースとするコントローラとすることができ、そしてマットレス（当業界では「サーフェイス」と称される）に組み込まれることができ、このとき、例えば、米国特許第５，３２５，５５１号明細書及び米国特許第５，５４２，１３６号明細書（これらは、同一出願人であるStryker Corporation［ミシガン州カラマズー所在］によって所有され且つ参照によりこれらの全体が本明細書に援用される）に記載されているように、マットレスの足側端部でマットレスの下面側に形成された凹部に組み込まれることができる。
【００３８】
コントローラ４０は、タッチスクリーン又は遠隔制御入力装置等のユーザー入力部４２と通信し、ユーザーがシステム３０をオン若しくはオフにすることを可能にする、又はユーザーが予め選択された作動プロトコル（例えば、コントローラ４０に格納されている）を開始することを可能にすることができる。さらに、システム３０はロックアウト機能を有することができ、このロックアウト機能は、例えばベッドが使用中でないときにのみ洗浄システムが使用されることを確実にするようにキー又はコードによってのみロック解除することができるものである。エネルギー発生器によって送達されるエネルギーのタイプに応じて、システム３０は、ベッドが使用されているときであっても使用するのに適したものとすることができる。
【００３９】
例えば、コントローラ４０は、１つの作動プロトコル又は幾つかの作動プロトコルを含む適切なソフトウェアを含むことができ、さらに、洗浄工程をいつどれだけの時間だけ作動したかを記録することができる。任意に選択されて、作動はベッドからの入力によって開始されてもよい。例えば、ベッド退出システムが、ベッドが退出をうけたとき又はベッドが「使用されていない」と示されるときに洗浄サイクルの開始をトリガーすることができる。代替として、エネルギー発生器によって送達されるエネルギーのタイプに応じて、システムはエネルギー発生器及び／又はＵＶライトに継続的に給電することができる。
【００４０】
システム３０は、上述した内部のライトに加えて又はその代わりに、ベッドの外部のライトを含むことができる。例えば、１つ以上のＵＶライトが、光をベッドの上に指向するように壁又は天井に取り付けられることができ、それによりベッドの全ての外側表面がＵＶライトで洗われる。外部のライトは、部屋の電源によって給電を受けることができ、例えばＲＦ信号を用いてコントローラ４０によって制御を受けることもでき、このとき外部のライトは、コントローラ４０からの信号に基づいてライトの電源をオンオフするように、受信機及び適切な制御部が内蔵されるか又は付随される。
【００４１】
別の実施形態では、エネルギー発生器３２は、ベッドの一部の周り、例えば手懸部の周りに磁界を発生させる磁界発生器を含む。磁界は細菌のコロニーユニットの形成を減少させることができることが分かっている。任意に選択されて、磁界発生器は、１つ以上の磁界を用いて柵の外側表面を洗うように、柵の各構成要素内における幾つかの場所に位置付けられてもよい。さらに、ベッドでの通信、又はベッドとベッドの外部の装置との間の通信との干渉を最小限に抑えるために、複数の磁界発生器は、それらの磁界が局所に制限され且つさらに０．５ｍＴ〜１０ｍＴの範囲の強度を有し且つさらにまたいかなる干渉も回避するほど十分に減衰されるように、サイズ決めされる。磁界発生器は、電磁石、及び／又は、電気が通されると磁界を発生する銅線等の線材のコイル（若しくは複数のコイル）を含むことができる。
【００４２】
また別の実施形態では、エネルギー発生器３２は電荷発生器を含むことができる。この場合も同様に、電荷発生器は、柵構成要素に組み込まれることができ、手懸部等の所望の標的において電荷を発生させる。電荷発生器は、任意に選択されて、ＡＣパルス電流を発生し、このＡＣパルス電流は、導電性であるように適合している手懸部等の構成要素を通過して手懸部の細菌を死滅させることができる。例えば、手懸部は、炭素を含浸させたプラスチックから形成されることができ、それにより、手懸部は、低レベルの電流が手懸部を通って流れることを可能にする。代替として又は追加として、銅線又は銅繊維が手懸部に埋め込まれている場合、低電圧が、手懸部の銅線又は銅繊維に印加され、それにより銅線又は銅繊維に低アンペアの電流を発生させることができ、このことは手懸部に電荷を発生させることができる。アンペア数が十分に低い（例えば直流が用いられる場合に１０ｍＡ未満或いは交流が用いられる場合に１ｍＡ未満）場合に、この電荷は、ベッドが使用されているときでも用いられることができる。
【００４３】
第４の実施形態によると、エネルギー発生器３２は、超音波を発生する音響発生器を含むことができる。この場合も示されるように、音響発生器は、種々の柵構成要素のうちの１つ以上に位置付けられ、さらに手懸部に近接して位置付けられ、それによって、手懸部の細菌負荷を低減することができる。音響発生器（複数の場合もあり）は、ベッドの他の場所、例えば、デッキ部上、マットレス内又はさらにはベース部内にも位置付けられることができる。理解されるように、超音波は、ベッド全体又はベッドの一部のみを洗うことができる。他のエネルギー発生器と同様に、超音波も細菌を死滅させ、このとき細菌の量が少ない場合に短時間にわたる出力を高くした超音波が特に効果的である。
【００４４】
第５の実施形態では、エネルギー発生器（複数の場合もあり）３２は、１つ以上のヒーターを含むことができる。例えば、好適なヒーターは、セラミックヒーターを含む、又は回路内の抵抗素子を単に含むことができ、この抵抗素子は、電流が回路を流れると熱くなるものである。代替として、ヒーターは、１つ以上の赤外線ＬＥＤ等の赤外線ライト（又は複数のライト）を含むことができ、この赤外線ライトは、処理されるべき表面内に又は表面上に光を指向する。複数のヒーターは任意に選択されて、熱処理されている構成要素の内側に位置付けられ、さらには、柵を形成するプラスチック又はポリマーの表皮の外面付近に位置付けられ、それにより、柵の外面は、柵の外側表面で細菌を死滅させることになる昇温温度にまで加熱されることになる。例えば、ヒーター（単数又は複数）は、柵の外面が少なくとも５０℃である、少なくとも６０℃である、少なくとも６５℃である及びさらに任意に選択されて７０℃〜１００℃の範囲にあるように十分な熱を発生するよう構成されている。このようにして、細菌は数時間の熱の印加後に死滅させられることになる。ここでも同様に、この処理は、ベッドの使用前に適用されることができるが、低くした温度では、この熱処理はベッドの使用中であっても適用することができる。柵の外面は、例えば金属よりも低い熱伝達率を有する材料から形成されるため、人は、昇温された温度にもかかわらず負傷することなく柵に触れることができる。理解されるように、熱が高くなるほど細菌は迅速に死滅させられる。しかしながら、ベッドの使用時に熱処理プロトコルが使用されるのを可能にするには、柵の外側表面の温度を８０℃以下、７５℃以下又は６５℃以下に維持することが好ましいであろう。
【００４５】
手懸部１６ａ、１６ｂ、１８ａ、１８ｂ、２０ａ及び２２ａに加えて、記載した受動的又は能動的な抗菌構成要素のいかなる１つ以上も、ベッドの他の構成要素に組み込まれることができ、及び／又は、さらには構成要素若しくは柵全体を覆うように拡張されることができるということは、理解されるはずである。例えば、図１Ａを参照すると、記載される受動的又は能動的な抗菌構成要素のいかなる１つ以上も、ベッドの頭側の端部でのハンドル５０に組み込まれることができる。ハンドル５０は、米国特許第６，７７２，８５０号明細書及び米国特許第７，００７，７６５号明細書（これらは参照によりそれらの全体が本明細書に援用される）に記載されているように、例えば動力付きの車輪を用いてベッドを移動又は操縦することを可能にするように、ベッド上に設けられることができる。例えば、ハンドル５０のハンドグリップ６２は、変更を加えられてもよく、又は手懸部に関して上述したのと同じ方法で形成されてもよく、それによってハンドルのハンドグリップに抗菌性を取り入れ且つこれによりハンドグリップを清潔にすることができる。
【００４６】
図１を再び参照すると、受動的又は能動的な抗菌構成要素のいかなる１つ以上も、オーバーベッドテーブル１４の中に組み込まれることができる。上述した手懸部と同様に、テーブル１４は、１つ以上の銅（若しくは銅合金）の要素（塊、プレート、繊維、粉末等）を用いて形成される又は１つ以上の銅（若しくは銅合金）の要素（塊、プレート、繊維、粉末等）が付着されているテーブル要素６０を含むことができる。抗菌材料の補助として、上述したように、テーブル１４は、テーブル上に存在する細菌負荷を相乗的に低減するように、エネルギー発生システム３０も組み込むことができる。
【００４７】
さらに、図１を再び参照すると、受動的又は能動的な抗菌構成要素のいかなる１つ以上も、マットレス２４に組み込まれることができ、例えば、カバー２４ａに、又はマットレスの構成に応じて発泡体、ゲル、空気袋若しくはそれらの組み合わせ等の支持構成要素２４ｂに組み込まれることができる。例えば、カバー２４ａは、ビニルコーティングを有するスクリム層（織布）から形成されることができ、このとき、スクリム層又はビニルコーティングのいずれかに、銅粉末、銅撚線若しくは銅糸等の銅が組み込まれているか又は付着させられている。例えば、ビニルは、ビニル中に分散された銅粉末と共に形成されることができ、このビニルは、カバーを形成するようにスクリムに付着させられるとカバーに抗菌特性を加える。
【００４８】
発泡体又はゲルの支持構成要素２４ｂの場合、受動的抗菌構成要素はこの場合も同様に、銅粉末等の銅塊又は銅粒子を含むことができ、銅塊又は銅粒子は、発泡体若しくはゲルの一部にわたって散在させられる、又は発泡体若しくはゲルの外面に近い方の発泡体若しくはゲルの外側領域にのみ散在させられる。銅は、モールディング工程中若しくは成形工程中に加えられてもよく、又は、成形後に、銅が懸濁している溶液若しくはコーティング剤を吹き付ける、これらに浸漬させるなどをすることによって、付着させられてもよい。なお、銅が懸濁している溶液若しくはコーティング剤は、発泡体若しくはゲルに接着し、そして場合によっては発泡体若しくはゲルにしみ込む。空気袋の場合には、銅は、空気袋を形成する材料内に注入されてもよく、又は、成形後に、銅が懸濁している溶液若しくはコーティング剤を吹き付ける、これらに浸漬させるなどをすることによって、付着させられてもよい。なお、銅が懸濁している溶液若しくはコーティング剤は、空気袋を形成する材料に接着し、そして場合によっては空気袋を形成する材料にしみ込む。
【００４９】
それ故、これらの銅の適用は、それらの抗菌効果を生じるように抑制域（「暈」効果）に依存し得る。加えて、能動的抗菌構成要素の１つ以上がマットレス２４に組み込まれることができる。例えば、能動的抗菌構成要素は、上述したように磁界、熱、電流、音波又は光をマットレス２４内に発生するエネルギー発生システムを含み、それにより抗菌処理をマットレスの少なくとも一部に与えることができる。能動的抗菌構成要素は、マットレスに組み込まれてもよく、又は患者支持体のデッキ部若しくは柵に組み込まれてもよいが、この場合はエネルギーをマットレスに指向するように配置される。
【００５０】
柵、より具体的には柵構成要素の手懸部に関連して説明したが、記載されるように、ベッドの他の構成要素も、上述した１つ以上の受動的又は能動的な抗菌構成要素を組み込むことができる。例えば、マットレス、デッキ部、又は、ベッドの種々の特徴部を作動するボタンのいかなるもの若しくは全ても、１つ以上の受動的及び／又は能動的な抗菌構成要素を組み込むことができる。
【００５１】
患者、介護者又は作業者が接触しそうな又は触れそうな表面に加えて、患者支持体の他の表面も洗浄を受けることができる。例えば、ベッドのキャスター車輪アセンブリ（７０）は、受動的又は能動的な抗菌構成要素を組み込むことができる。図４を参照すると、キャスター車輪アセンブリ７０は任意に選択されて、ＵＶ  ＬＥＤ（又は複数のＵＶ  ＬＥＤ）等のＵＶ光発生器７２を含む。このＵＶ光発生器７２は、以下の同時係属中の出願に記載されているものと同様であり、ＵＶ光を用いてキャスター車輪アセンブリ７０の車輪７４を洗うものである。なお、上記同時係属中の出願は、CLEANING SYSTEM AND EQUIPMENT THEREFORと題し、２０１１年１１月１０日に出願され、第６１／５５８，１９０号（代理人整理番号ＳＴＲ０３  Ｐ−３８１）という出願番号であり、参照によりその全体が本明細書に援用されるものである。患者、介護者又は訪問者を保護するために、車輪７４は、車輪７４の周り及び例えば車輪のフォークブラケットに取り付けられるシュラウド７０ａ，７０ｂによって覆われる。
【００５２】
追加として又は代替として、車輪７４は、モールディング等によって内部に組み込まれる抗菌塊等の抗菌材料を含むことができ、それにより、車輪７４が床を横切って転がされたときに、床から拾い上げられ得る細菌が、車輪自体の中に含まれる抗菌材料によって死滅させられることになる。ＵＶ光の能動的抗菌性と組み合わされると、キャスター車輪アセンブリにおける大幅に低い細菌負荷が達成されることができると考えられる。
【００５３】
例えば、車輪は、ベース材料とベース材料の少なくとも外側層にわたって散在させられる抗菌性を有する材料（抗菌材料）とを用いて、形成されることができる。さらに、ベース材料は、手懸部に関して上述したものと同様にして、通常の使用と共に経時的にすり減るように選択され、それによって、ベース材料の最外面の下に散在しているより多くある抗菌材料がそのとき、車輪の抗菌特性を再生させるために周囲の雰囲気に露出させられる。
【００５４】
ＵＶライト７２は、ベッドをベースとするネットワーク電源又はキャスター車輪アセンブリに搭載される電源によって給電を受けることができる。図４を再び参照すると、車輪アセンブリ７０は、車輪７４のシャフト８０に取り付けられているギヤ７８によって駆動され且つＵＶライト７２に給電する発電機７６を組み込むことができる。加えて、発電機７６は、ベッドの他の構成要素に給電するようにベッドをベースとする制御盤に結合されることができる。例えば、低い電力要求を伴う電子デバイスは、発電機７６によって給電を受けることができる。１つの好適なシステムは、Stryker Corporation（ミシガン州カラマズー所在）によって商標名ＣＨＡＰＥＲＯＮＥ（登録商標）で販売されているベッド退出システムを含む。
【００５５】
代替として、車輪アセンブリ７０は、内部にステータ及びコイルを組み込んでもよい。例えば、ステータは、車輪のシャフトに取り付けられることができ、コイルは車輪支持ブラケット（図示せず）に取り付けられることができる。なお、車輪支持ブラケットを中心に車輪のシャフトは回転し、それにより、車輪の回転運動はコイルを通る電流を誘導することになる（又は逆もまた同様である）。コイルはこの場合、ＵＶライト（及び車輪をベースとするエネルギー供給部によって駆動されるべき他の電子ベースの構成部品）への電流を制御するように、任意に選択されて設けられるＡＣ−ＤＣ変換器、及びマイクロコントローラ等のエネルギーコントローラに結合される。
【００５６】
図５〜図１１を参照すると、符号９０は、能動的抗菌構成要素の別の実施形態を全体として示し、この能動的抗菌構成要素は、医療上の器具１０の構成要素を光を用いて洗うために、光、即ちＵＶ光の形態でエネルギーを発生するためのものである。図示の実施形態では、能動的抗菌構成要素９０は、キャスターアセンブリの車輪を、ＵＶ−Ｃ光を任意に選択されて含むＵＶ光を用いて洗うように構成されている。
【００５７】
図５〜図９において最も良く分かるように、能動的抗菌構成要素９０は、ＵＶ  ＬＥＤ等の複数の光源９２ａを含み、これら光源９２ａは、ＵＶ光を車輪１７４の対向する側部上に指向するために車輪１７４に面するように構成されている。図示の実施形態では、ライト９２ａは、環状の回路基板等の２つの回路基板９４ａ，９４ｂに取り付けられており、これら回路基板９４ａ，９４ｂはそれぞれ、銅トレースのような導電性トレース９４ｃを有している。回路基板９４ａ，９４ｂは、例えば、シュラウドの内側の車輪取り付け用フォークブラケット１７６又はキャスター車輪アセンブリのカバー（１７０ａ，１７０ｂ）に取り付けられており、そして、回路基板９４ａ，９４ｂは、車輪の回転から電気を発生するダイナモ９６等のローカル電源に（電気コネクタ９４ｄを介して）結合されている。例えば、図示の実施形態では、ダイナモ９６は、車輪の軸１７８を中心に車輪のハブに取り付けられているハブダイナモを含み、車輪の軸１７８はまたフォークブラケット１７６によって軸受アセンブリ１８０で支持もされている。好適なダイナモがWilfried Schmidt Maschinenbau（ドイツ）から入手可能である。しかしながら、側部搭載型のダイナモが代替として用いられてもよいことは理解されるはずである。
【００５８】
車輪７４に関して記載したものと同様にして、車輪１７４は、モールディング等によって内部に組み込まれる抗菌塊等の抗菌材料を含むことができ、それにより、車輪１７４が床を横切って転がされると、床から拾い上げられ得る細菌が、車輪自体の中に含まれる抗菌材料によって死滅させられることになる。この場合も同様に、車輪は、ベース材料とベース材料の少なくとも外側層にわたって散在する抗菌材料とを用いて形成されることができる。このとき、ベース材料は、手懸部に関して上述したものと同様にして、通常の使用と共に経時的にすり減るように選択され、それによって、ベース材料の最外面の下に散在しているより多くある抗菌材料がそのとき、車輪の抗菌特性を再生させるために周囲の雰囲気に露出させられる。
【００５９】
任意に選択されて、能動的抗菌構成要素９０は、ＵＶＣ  ＬＥＤを含み且つ任意に選択されるＵＶ  ＬＥＤである第２の複数の光源９２ｂを含むことができる。ライト９２ｂは、横断方向回路基板９４ｅに取り付けられることができ、この横断回路基板９４ｅは、（図９において最も良く分かる）銅トレース等の導電性トレース９４ｆを有し、且つ車輪アセンブリの取付部９８に対してカラー１８２と共に回転するようにカラー１８２に取り付けられている（これらはまとめて車輪のスイベル式連結部のためのものである）。回路基板９４ｅは、ライト９２ｂが車輪の幅にまたがり且つ光を車輪の幅又はトレッドにわたって下方に向かって指向するように、ライト９２ｂを支持する。横断方向回路基板９４ｅは、電気コネクタ９４ｇを介して回路基板９４ａ，９４ｂに電気的に結合され、それにより、ライトは、基板９４ａ及び９４ｂを通じてダイナモ９６によって同様に給電を受けることができる。
【００６０】
追加として又は代替として、ライト９２ａ及び９２ｂは、医療上の器具の電源から給電を受けることができる。例えば、キャスター車輪アセンブリのスイベル式連結部（９８及び１８２）は、銅トレース等の一対の環状トレース１００によって形成されるスリップリングを含むことができ、一対の環状トレース１００は、医療上の器具の電源に電気的に結合され、そのとき一対の環状トレース１００は、動的接続部１０２を介して基板９４ａ、９４ｂ及び９４ｅに電気的に結合される。図示の実施形態において、そして図１１及び図１２で最も良く分かるように、動的接続部１０２は、基板９４ｅに結合され且つ一対のばね１０６によって付勢されてトレース１０４に接触している電気用ブラシ１０４を含む。ばね１０６及びブラシ１０４は、基板９４ｅをカラー１８２に取り付ける支柱１０８内に収容されることができる。記載したブラシベースのスリップリングの代替として、例えばMercotacから入手可能な（ブラシを用いない）湿潤スリップリング（wetted slip ring）、又は光ファイバーロータリージョイントを用いることができる。
【００６１】
このようにして、ライト９２ａ及び９２ｂは、医療上の器具の電源及びローカル電源（例えばダイナモ）のいずれか又は双方によって給電を受けることができる。代替として、ローカル電源は、誘導電力をベースとする電源を含むことができ、このとき送信コイルが医療上の器具の電源に電気的に結合され、受信コイルが回路基板に電気的に結合される。
【００６２】
ライトが代わりの電源によって給電を受ける場合、回路機構は、例えば電流がダイナモの巻線を通じて放電されることがないように、過剰電流を放電するためのデバイスを組み込むことができる。例えば、図１３を参照すると、能動的抗菌構成要素９０は駆動回路１２０を含み、この駆動回路１２０はダイナモ９６を、ライト９２ａ，９２ｂに電気的に結合し、且つ１つ以上のバッテリー１２２等の設備をベースとする電源にも電気的に結合する。任意に選択されて、回路１２０は、回路機構からバッテリー（複数のバッテリー）１２２を電気的に遮断するためにスイッチ１２４を組み込むことができ、そして回路１２０は、例えばツェナーダイオードブリッジであるダイオードの形態をした整流器１２６もまた組み込むことができる。なお、この整流器１２６は、ダイナモが発生する交流電力を調整し、そして、例えばライトがバッテリー及びダイナモの双方に電気的に結合されており且つ双方が電気を供給している場合に、ダイナモコイルを通じた放電も防止する。
【００６３】
また別の実施形態では、本発明の医療設備は、医療環境又は病院環境における構造的な構成要素（床パネル［例えばタイル］又は壁パネル又はヘッダー等）も含むことができる。各ケースにおいて、銅又は銅合金の塊が、手懸部に関して記載したように構成要素に付着させられる又は構成要素に組み込まれることができる。受動的構成要素に加えて、能動構成要素もまた、ＵＶ光、電荷、磁界、超音波又は熱等のエネルギーを用いて床パネル、壁パネル又はヘッダーを洗うために使用されることができる。
【００６４】
よって、本発明は、医療設備の表面を自動的に洗浄する構成要素及び／又は構成要素によるシステムを提供し、このことによって感染制御を高めることができる。非常に様々な抗菌のアプローチを提供する２つのタイプの構成要素を組み合わせたものは、相乗効果をもたらし、且つ細菌に存在し得る幾つかの処理に対する耐性を払い除ける又は回避すると考えられる。さらに、本発明の自動的であり且つ自己洗浄である特質のため、本発明は、人の手による洗浄への物理的な障害の多くを克服する。
【００６５】
上記の記載は本発明の現在の実施形態の説明である。均等論を含む特許法の原則に従って解釈されるべき添付の特許請求の範囲で定義されるような本発明の趣旨及びより広範な態様から逸脱することなく、種々の変形及び変更を加えることができる。本開示は、例示のために提示されており、本発明のあらゆる実施形態を網羅する記載であるとして解釈されるべきものでなく、そして、これらの実施形態に関連して図示又は記載された特定の要素に特許請求の範囲を限定するように解釈されるべきものでもない。例えば、限定するわけではないが、記載された発明のいかなる個別の要素（複数の場合もあり）も、実質的に同様の機能を提供する又はそうでない場合には十分な動作を提供する代替の要素によって置き換えられてもよい。これは、例えば、当業者に現在既知であるかもしれないような現在既知の代替の要素、及び、当業者が開発時に代替となりうるものとして認識するような将来的に開発され得る代替の要素を含む。さらに、開示の実施形態は、一緒に記載され且つ協働して一群の利点をもたらし得る複数の特徴を含む。本発明は、これらの特徴の全てを含む実施形態及び記載される利点の全てを提供する実施形態のみに、取得される特許請求の範囲に別途明示して記載される範囲を除いて、限定されない。例えば冠詞「ａ」、「ａｎ」、「ｔｈｅ」又は「ｓａｉｄ」を用いた単数形での特許請求の範囲の要素への言及はいずれも、この要素を単数形に限定するものと解釈されるべきではない。さらに、本明細書において用いられるいかなる方向を指す用語（「内側」、「内方」、「外側」及び「外方」等）は、図面に示されている実施形態の向きに基づいて本発明を記載するのを補助するために用いられているということは理解されるはずである。方向を指す用語の使用は、本発明をいかなる特定の向き（複数の場合もあり）へも限定するように解釈されるべきではない。
占有又は独占権が主張される本発明の実施形態が、特許請求の範囲のように定義される。
【図１】
2014534890.tif 000003
【図１Ａ】
2014534890.tif 000004
【図２】
2014534890.tif 000005
【図２Ａ】
2014534890.tif 000006
【図２Ｂ】
2014534890.tif 000007
【図３】
2014534890.tif 000008
【図４】
2014534890.tif 000009
【図５】
2014534890.tif 000010
【図５Ａ】
2014534890.tif 000011
【図５Ｂ】
2014534890.tif 000012
【図６】
2014534890.tif 000013
【図６Ａ】
2014534890.tif 000014
【図６Ｂ】
2014534890.tif 000015
【図６Ｃ】
2014534890.tif 000016
【図６Ｄ】
2014534890.tif 000017
【図７】
2014534890.tif 000018
【図８】
2014534890.tif 000019
【図９】
2014534890.tif 000020
【図１０】
2014534890.tif 000021
【図１１】
2014534890.tif 000022
【図１２】
2014534890.tif 000023
【図１３】
2014534890.tif 000024
【国際調査報告】
2014534890.tif 000025
2014534890.tif 000026